(57)【要約】【課題】  定期送信又は時刻指定送信の開始日時をリモート診断装置によるリモート診断で更新可能な通信端末装置を提供する。【解決手段】  リモート診断装置２２によりＰＳＴＮ（ネットワーク）２１を介してリモート診断が行われる通信端末装置１であって、基準日時、定期送信又は時刻指定送信の開始日時、及び基準日時から開始日時までの時間を記憶する記憶手段と、この記憶手段により記憶された開始日時を、リモート診断時にリモート診断装置２２により送信された開始日時に更新する開始日時更新手段と、記憶手段により記憶された基準日時から、開始日時更新手段により更新された開始日時までの時間を算出する算出手段と、記憶手段により記憶された基準日時から開始日時までの時間を、算出手段により算出された時間に更新する時間更新手段と、を備えた。【選択図】      図２
2007110585.tif 000002
【特許請求の範囲】
【請求項１】
リモート診断装置によりネットワークを介してリモート診断が行われる通信端末装置であって、
基準日時、定期送信又は時刻指定送信の開始日時、及び前記基準日時から前記開始日時までの時間を記憶する記憶手段と、
この記憶手段により記憶された前記開始日時を、前記リモート診断時に前記リモート診断装置により送信された開始日時に更新する開始日時更新手段と、
前記記憶手段により記憶された基準日時から、前記開始日時更新手段により更新された前記開始日時までの時間を算出する算出手段と、
前記記憶手段により記憶された基準日時から前記開始日時までの時間を、前記算出手段により算出された時間に更新する時間更新手段と、
を備えたことを特徴とする通信端末装置。
【請求項２】
前記算出手段は、前記リモート診断後に、前記記憶手段により記憶された基準日時から、前記開始日時更新手段により更新された前記開始日時までの時間を算出することを特徴とする請求項１記載の通信端末装置。
【発明の詳細な説明】
【技術分野】
【０００１】
本発明は、リモート診断装置によりネットワークを介してリモート診断が行われる通信端末装置に関し、より詳しくは、定期送信又は時刻指定送信を実行可能な通信端末装置に関するものである。
【背景技術】
【０００２】
従来のこの種の技術としては、読取部、記録部、及び電話回線接続部を有する本体部と、ネットワーク制御部とを備えた画像通信装置であって、前記本体部の制御プログラム及び前記ネットワーク制御部の制御プログラムをネットワークを介して受信し、受信した各制御プログラムにより前記本体部の制御プログラム及び前記ネットワーク制御部の制御プログラムを書き換えるための書換手段を設けたことを特徴とする画像通信装置が知られている（例えば、特許文献１参照。）。
【特許文献１】特開２００２−２８８０６５号公報（請求項１等）
【発明の開示】
【発明が解決しようとする課題】
【０００３】
上記のような従来の画像通信装置では、通信装置メーカーのサービスセンター等に設置されたリモート診断装置がネットワークを介してリモート診断を行うことにより、制御プログラムが更新される。しかし、機器設定情報のリモート診断装置への送信（レポート送信）等を定期的に行う定期送信の開始日時や、読取部により読み取られた原稿の画像データ等の送信を指定日時に行う時刻指定送信の開始日時は、画像通信装置の操作部による操作でしか更新できず、リモート診断装置によるリモート診断では更新できないという問題点がある。
【０００４】
本発明は、以上のような問題点に鑑みてなされたものであり、定期送信又は時刻指定送信の開始日時をリモート診断装置によるリモート診断で更新可能な通信端末装置を提供することを目的とする。
【課題を解決するための手段】
【０００５】
上記目的を達成するための請求項１の発明は、リモート診断装置によりネットワークを介してリモート診断が行われる通信端末装置であって、基準日時、定期送信又は時刻指定送信の開始日時、及び前記基準日時から前記開始日時までの時間を記憶する記憶手段と、この記憶手段により記憶された前記開始日時を、前記リモート診断時に前記リモート診断装置により送信された開始日時に更新する開始日時更新手段と、前記記憶手段により記憶された基準日時から、前記開始日時更新手段により更新された前記開始日時までの時間を算出する算出手段と、前記記憶手段により記憶された基準日時から前記開始日時までの時間を、前記算出手段により算出された時間に更新する時間更新手段と、を備えたものである。
【０００６】
請求項２の発明は、前記算出手段が、前記リモート診断後に、前記記憶手段により記憶された基準日時から、前記開始日時更新手段により更新された前記開始日時までの時間を算出するものである。
【発明の効果】
【０００７】
請求項１の発明によれば、定期送信又は時刻指定送信の開始日時をリモート診断装置によるリモート診断で更新できると共に、基準日時から更新後の開始日時までの時間への更新が自動的に実行される。
【０００８】
請求項２の発明によれば、リモート診断装置によるリモート診断後に基準日時から更新後の開始日時までの時間が算出されるので、その算出や算出された時間への更新に伴う負荷がリモート診断中に通信端末装置に対してかかるのを回避でき、そのためリモート診断中に通信エラーが発生するのを防止することができる。
【発明を実施するための最良の形態】
【０００９】
以下、本発明の実施形態を図面に基づいて説明する。
本実施形態に係る通信端末装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、ＬＡＮ（local area network、構内情報通信網）インターフェース（ＬＡＮ Ｉ／Ｆ）９、時計部１０、記録部１１、読取部１２、操作部１３、及び表示部１４を備えたものであり、各構成要素はバス１５を介して互いに通信可能に接続されている。
【００１０】
ＮＣＵ８は、ネットワークとしてのＰＳＴＮ（public switched telephone network、公衆電話交換網）２１に接続されており、電話回線を制御して電話をかけたり切ったりする。ＰＳＴＮ２１には、通信端末装置１と同様に構成されたリモート診断装置２２が接続されている。
【００１１】
モデム７は、ＩＴＵ−Ｔ（国際電気通信連合−電気通信標準化部門）勧告のＶ．３４手順やＧ３（group 3）手順（ＩＴＵ−Ｔ勧告のＴ．３０手順）等に従った送信データの変調及び受信データの復調を行う。
【００１２】
ＬＡＮインターフェース９は、ＬＡＮ（ネットワーク）２３及びインターネット（ネットワーク）２４に接続されている。ＬＡＮ２３は、インターネット２４に接続されている。
【００１３】
フラッシュメモリ３は、各構成要素の動作を制御するための制御プログラムや内部処理用の基準日時等を記憶している。制御プログラムや基準日時等を記憶する記憶手段は、フラッシュメモリ３の他、ＲＯＭ（read only memory、読み出し専用メモリ）やＨＤＤ（hard disk drive）等であってもよい。
【００１４】
制御部２は、ＣＰＵ（central processing unit、中央処理装置）等で構成されており、フラッシュメモリ３上の制御プログラム等に従って各構成要素の動作を制御する。
【００１５】
ＲＡＭ４は、定期送信又は時刻指定送信の開始日時、基準日時から前記開始日時までの時間、及び機器設定情報等、通信端末装置１に関する各種の情報を一時的に記憶する。
【００１６】
読取部１２は、原稿の画像を画像データとして読み取る。画像メモリ５は、読み取られた画像データを一時的に記憶する。記録部１１は、記憶された画像データ等を電子写真方式等により記録用紙に印刷する。このように、通信端末装置１は、原稿の画像を画像データとして読み取る読取手段、この読取手段により読み取られた画像データを記憶する画像データ記憶手段、及びこの画像データ記憶手段により記憶された画像データを記録用紙に印刷する記録手段を備えている。
【００１７】
表示部１４は、操作部１３等に併設されたＬＣＤ（liquid crystal display、液晶ディスプレイ）等で構成されており、各種の情報を表示する。操作部１３は、選択キーや入力キー等、各種の操作をするための操作キー等を備えている。通信端末装置１に対するユーザによる各種の操作は、この操作部１３を通じて行われる。なお、表示部１４をタッチパネルとしておき、このタッチパネルとしての表示部１４が操作部１３としても機能するように構成してもよい。
【００１８】
コーデック６は、読み取られた画像データを送信等のためにＭＨ（modified Huffman）方式、ＭＲ（modified read）方式、ＭＭＲ（modified modified read）方式等により符号化したり、受信した画像データを復号化したりする。
【００１９】
リモート診断装置２２は、ＰＳＴＮ２１を介して、ＲＡＭ４上の前記開始日時や機器設定情報等の情報を読み出して自身の図示しない表示部に表示させたり、自身の図示しない操作部により入力された新たな情報に更新したりするリモート診断を行うが、ＬＡＮ２３やインターネット２４等の適宜のネットワークを介してリモート診断を行うように構成してもよい。
【００２０】
なお、ここでいう定期送信とは、ＲＡＭ４上の機器設定情報のリモート診断装置２２へのファクス送信又はインターネットファクス送信（レポート送信）等を定期的に行うことをいう。時刻指定送信とは、読取部１２により読み取られた原稿の画像データ等のファクス送信又はインターネットファクス送信を指定日時に行うことをいう。
【００２１】
時計部１０は、現在日時を示すと共に、基準日時から現在日時までの内部処理用の時間を示す。前記開始日時は、操作部１３又はリモート診断装置２２の図示しない操作部等により入力される。基準日時から前記開始日時までの時間は、フラッシュメモリ３等の記憶手段により記憶された計算式に基づいて制御部２により算出される。定期送信又は時刻指定送信は、時計部１０により示される基準日時から現在日時までの時間が、基準日時から前記開始日時までの時間に達した場合に実行される。
【００２２】
上記のように構成された通信端末装置１は、ファクス通信機やインターネットファクス通信機の他、コピー機、ネットワークプリンタ、及びネットワークスキャナのうちの少なくともいずれかとしても機能する複合機等であってもよい。
【００２３】
次に、基準日時から前記開始日時までの時間の更新処理の一例を図２に示すフローチャートに基づいて説明する。なお、この処理は、フラッシュメモリ３上の制御プログラム等に基づいて制御部２が発行する命令に従って行われる。
【００２４】
この処理において、外部装置との通信が終了し（ステップＳ１でＹＥＳ）、リモート診断装置２２によりリモート診断が行われており（ステップＳ２でＹＥＳ）、かつ、定期送信又は時刻指定送信の開始日時が更新された場合は（ステップＳ３でＹＥＳ）、基準日時から更新後の開始日時までの時間が算出される（ステップＳ４）。ステップＳ１で外部装置との通信が終了していない場合は（ステップＳ１でＮＯ）、ステップＳ１に戻る。
【００２５】
外部装置としては、ＰＳＴＮ２１、ＬＡＮ２３、インターネット２４等のネットワークに接続された図示しない通信端末装置、ネットワークに接続されたリモート診断装置２２等が挙げられる。この外部装置との通信としては、ファクス通信、インターネットファクス通信、リモート診断装置２２によるリモート診断等のデータ通信等が挙げられる。
【００２６】
そして、基準日時から前記開始日時までの時間が、算出された時間に更新されれば（ステップＳ５）、処理が終了する。ステップＳ２でリモート診断が行われていない場合（ステップＳ２でＮＯ）や、ステップＳ３で前記開始日時が更新されていない場合（ステップＳ３でＮＯ）も、処理が終了する。
【００２７】
上記のように構成された通信端末装置１によれば、前記開始日時をリモート診断装置２２によるリモート診断で更新できると共に、基準日時から更新後の開始日時までの時間への更新が自動的に実行されるという利点がある。
【００２８】
なお、基準日時から更新後の開始日時までの時間の算出や算出された時間への更新は、リモート診断装置２２とのデータ通信中であるリモート診断中に実行されるように構成してもよいが、図２のようにリモート診断装置２２とのデータ通信終了後であるリモート診断後に実行されるように構成しておけば、上記の算出や更新に伴う負荷がリモート診断中に通信端末装置１に対してかかるのを回避できるので、リモート診断中に通信エラーが発生するのを防止できるという利点がある。
【産業上の利用可能性】
【００２９】
以上のように、本発明に係る通信端末装置は、定期送信又は時刻指定送信の開始日時をリモート診断装置によるリモート診断で更新できるようにするのに適している。
【図面の簡単な説明】
【００３０】
【図１】実施形態に係る通信端末装置の構成例を示すブロック図。
【図２】基準日時から定期送信又は時刻指定送信の開始日時までの時間の更新処理の一例を示すフローチャート。
【符号の説明】
【００３１】
１  通信端末装置
２  制御部
３  フラッシュメモリ
４  ＲＡＭ
５  画像メモリ
６  コーデック
７  モデム
８  ＮＣＵ
９  ＬＡＮインターフェース
１０  時計部
２１  ＰＳＴＮ（ネットワーク）
２２  リモート診断装置
２３  ＬＡＮ（ネットワーク）
２４  インターネット（ネットワーク）
【図１】
2007110585.tif 000003
【図２】
2007110585.tif 000004